(57)【特許請求の範囲】
【請求項１】
（ａ）活性水素を有する官能基を持つ（メタ）アクリル系粘着性ポリマー、（ｂ）光重合性の（メタ）アクリル系オリゴマー及び（メタ）アクリル系モノマー、（ｃ）光重合開始剤、（ｄ）該活性水素に対して反応性を有する架橋剤及び（ｅ）シリコーン系グラフト共重合体を含有する粘着組成物であって、
前記（ｂ）を、前記（ａ）１００重量部当り、５〜２００重量部含み、
前記（ｃ）の割合が、前記（ｂ）に対して、０．１〜３０重量％であり、
前記（ｄ）の割合が、前記（ａ）に含まれる活性水素及び（ｅ）に含まれる活性水素を加えた全活性水素１当量当り、０．０５〜１．２当量であり、
前記（ｅ）の割合が、前記（ａ）１００重量部当り、０．１〜１００重量部であり、ポリイミドフィルムに対する初期剥離力が２Ｎ／２５ｍｍ以上であることを特徴とする粘着組成物。
【請求項２】
該シリコーン系グラフト共重合体が、活性水素を有する官能基を含有する請求項１に記載の粘着組成物。
【請求項３】
該光重合性の（メタ）アクリル系オリゴマー又は（メタ）アクリル系モノマーが、ビスフェノールＡ型エポキシアクリレートオリゴマーと、ジトリメチロールプロパンテトラアクリレートとからなる請求項１又は２に記載の粘着組成物。
【請求項４】
粘着組成物を基材上に層状に設けた粘着シートにおいて、該粘着組成物として請求項１〜３のいずれかに記載の粘着組成物を用いることを特徴とする粘着シート。
【請求項５】
請求項４に記載の粘着シートからなるフレキシブル印刷回路基板作製用粘着シート。
【発明の詳細な説明】
【０００１】
【発明の属する技術分野】
本発明は、紫外線等の電離放射線で硬化し得る粘着組成物及び粘着シートに関する。更には、フレキシブル印刷回路基板作製工程での使用に好適な粘着組成物及び粘着シートに関する。
【０００２】
【従来の技術】
従来、紫外線硬化型粘着組成物として、アクリル系化合物を配合したもの等が提案されている。
しかし、これらの多くは、被着体に貼付けし、紫外線を照射した後の剥離が容易ではなく、そのために被着体が変形（カール等）してしまう問題や、また、のり残りし易いという問題がある。
また、この粘着剤を設けた粘着シートを、被着体に貼付け、紫外線照射後に剥離する方法での使用（例えば、フレキシブル印刷回路基板作製工程や、その他基板等のダイシング工程、および各種マスキング工程での使用）においては、被着体表面に凹凸がある場合があり、被着体に貼付ける際、粘着部分のむらや、紫外線照射の際に硬化部分のむらができ、被着体からの剥離が容易でなかったり、剥離した時に被着体にのり残りする等の問題がある。
更に被着体と粘着シートを貼り合せた際にその間に隙間ができてしまうと、前記問題の他に、この貼合わせ物を、熱が加わりかつ液体中（印刷回路基板製造工程に例えると、エッチング液やめっき液等）に漬かる状態で使用する場合には、そのシートの一部もしくは全部が剥がれてしまう問題や、そのシートが剥がれた部分より、その液体が、シートと被着体の間に染み込んでしまう問題もある。
【０００３】
【発明が解決しようとする課題】
本発明は、紫外線照射で硬化させることによって粘着力が低下する粘着組成物及びその粘着組成物を用いた粘着シートにおいて、被着体へ貼付けし、紫外線照射後の剥離が容易であり、また剥離したときに被着体上にのり残りしない、粘着組成物及び粘着シートを提供することをその課題とする。
更には、フレキシブル印刷回路基板作製工程での使用に好適な粘着シートを提供することをその課題とする。
【０００４】
【課題を解決するための手段】
本発明者らは、前記課題を解決するために鋭意研究を重ねた結果、本発明を完成するに至った。即ち、本発明によれば、以下に示す粘着剤組成物及び粘着シートが提供される。
（１）（ａ）活性水素を有する官能基を持つ（メタ）アクリル系粘着性ポリマー、（ｂ）光重合性の（メタ）アクリル系オリゴマー及び（メタ）アクリル系モノマー、（ｃ）光重合開始剤、（ｄ）該活性水素に対して反応性を有する架橋剤及び（ｅ）シリコーン系グラフト共重合体を含有する粘着組成物であって、
前記（ｂ）を、前記（ａ）１００重量部当り、５〜２００重量部含み、
前記（ｃ）の割合が、前記（ｂ）に対して、０．１〜３０重量％であり、
前記（ｄ）の割合が、前記（ａ）に含まれる活性水素及び（ｅ）に含まれる活性水素を加えた全活性水素１当量当り、０．０５〜１．２当量であり、
前記（ｅ）の割合が、前記（ａ）１００重量部当り、０．１〜１００重量部であり、ポリイミドフィルムに対する初期剥離力が２Ｎ／２５ｍｍ以上であることを特徴とする粘着組成物。
（２）該シリコーン系グラフト共重合体が、活性水素を有する官能基を含有する前記（１）に記載の粘着組成物。
（３）該光重合性の（メタ）アクリル系オリゴマー又は（メタ）アクリル系モノマーが、ビスフェノールＡ型エポキシアクリレートオリゴマーと、ジトリメチロールプロパンテトラアクリレートとからなる前記（１）又は（２）に記載の粘着組成物。
（４）粘着組成物を基材上に層状に設けた粘着シートにおいて、該粘着組成物として前記（１）〜（３）のいずれかに記載の粘着組成物を用いることを特徴とする粘着シート。
（５）前記（４）に記載の粘着シートからなるフレキシブル印刷回路基作製用粘着シート。
【０００５】
【発明の実施の形態】
本発明の組成物は、（ａ）粘着性成分として活性水素を有する官能基を持つ（メタ）アクリル系粘着性ポリマーを含有する。
このポリマーは、活性水素を有する官能基を持つ（メタ）アクリル系モノマーを単独で重合させるか又は他の（メタ）アクリル系モノマーと共重合させることによって得ることができるもので、常温（２３℃）で粘着性を有するポリマーである。この場合の重合法は、ラジカル重合法であり、乳化重合法、溶液重合法、魂状重合法、光重合法等が包含される。
前記活性水素を有する官能基には、水酸基、アミノ基、メルカプト基、カルボキシル基等が包含される。
なお、前記（メタ）アクリル系とは、アクリル系及び／又はメタクリル系を意味するものである。
【０００６】
活性水素を有する官能基を持つ（メタ）アクリル系モノマーは、下記一般式（１）で表すことができる。
【化１】
0004969744.tif 000002
前記式中、Ｒ1は水素又はメチル基を示し、Ｒ2はアルキレン基、アルキレンオキシ基又はポリアルキレンオキシ基を示し、Ｘは活性水素含有官能基を示す。ｔは０又は１の数を示す。
【０００７】
前記アルキレン基、オキシアルキレン基又はポリアルキレンオキシ基Ｒ2において、その主鎖中に含まれる原子（炭素又は炭素と酸素）の数は、１〜１８、好ましくは２〜１２より好ましくは２〜８である。このようなものには、メチレン、エチレン、プロピレン、ブチレン、へキシレン、オクチレン、ドデシレン、エチレンオキシ、ジエチレンオキシ、トリエチレンオキシ、プロピレンオキシ、ジプロピレンオキシ、ブチレンオキシ、ジブチレンオキシ等が包含される。
【０００８】
活性水素含有官能基Ｘとしては、−ＣＯＯＨ、−ＣＯＮＨ2、−ＣＯＯ−Ｒ3−Ｙ（式中、Ｒ3は炭素数１〜１２、好ましくは２〜８のアルキレン基、Ｙは水酸基、カルボキシル基、メルカプト基、アミノ基等の活性水素含有官能基を示す）。
前記一般式（１）において、ｔが０の場合には、官能基ＸはＲ2を介さずに直接ビニル基の炭素原子に結合していることを示し、一方、ｔが１の場合には、官能基ＸはＲ2を介してビニル基の炭素原子に結合していることを示す。
【０００９】
前記活性水素を有する官能基を持つ（メタ）アクリル系モノマーの具体例としては、（メタ）アクリル酸、（メタ）アクリル酸アミド、（メタ）アクリル酸２−ヒドロキシエチル、（メタ）アクリル酸２−ヒドロキシプロピル、（メタ）アクリル酸グリシジルヒドロキシプロピル等が挙げられる。
【００１０】
前記活性水素を有する官能基を持つ（メタ）アクリル系モノマーと共重合される活性水素を含有しない（メタ）アクリル系モノマーとしては、アクリル酸エステル、例えばアクリル酸メチル、アクリル酸エチル、アクリル酸ブチル、アクリル酸２−エチルヘキシル、アクリル酸オクチル、アクリル酸イソオクチル、アクリル酸イソノニル、アクリル酸デシル、アクリル酸ベンジルなど、メタクリル酸エステル、例えばメタクリル酸メチル、メタクリル酸エチル、メタクリル酸ブチル、メタクリル酸２−エチルヘキシルなどが挙げられる。
【００１１】
本発明において用いる好ましい（メタ）アクリル系粘着性ポリマーは、アクリル酸２−エチルヘキシルと、アクリル酸と、メタクリル酸との共重合体である。
【００１２】
本発明で用いる（メタ）アクリル系粘着性ポリマーにおいて、その重量平均分子量は、５０，０００〜１，５００，０００の範囲である。その重量平均分子量がこれより小さいと、重合体の凝集が弱く、粘着力が弱くなる。一方、これより大きいと、粘着剤組成物の相容性が悪くなる。より好ましい重量平均分子量の範囲は、５０，０００〜１，０００，０００である。
【００１３】
本発明の組成物は、（ｂ）光重合性の（メタ）アクリル系オリゴマー又は（メタ）アクリル系モノマーを含有する。光重合性オリゴマーとしては、従来公知の各種のもの、例えばウレタン（メタ）アクリレート系オリゴマーやエポキシ（メタ）アクリレート系オリゴマーが含有され、エポキシ（メタ）アクリレート系オリゴマーとしては、例えば、ビスフェノールＡ型、ビスフェノールＦ型、ノボラック型、クレゾールノボラック型などの各種のものがあげられる。
【００１４】
光重合性の（メタ）アクリル系モノマーとしては、従来公知の各種のもの、例えば、ビスフェノールＡジ（メタ）アクリレート、ビス（アクリロキシエチル）ヒドロキシエチルイソシアヌレート、ビス（メタクリロキシエチル）ヒドロキシエチルイソシアヌレート、トリス（アクリロキシエチル）イソシアヌレート、トリス（メタクリロキシエチル）イソシアヌレート、ビスフェノールＦジ（メタ）アクリレート、ジエチレングリコールジ（メタ）アクリレート、１，６−ヘキサンジオールジ（メタ）アクリレート、ネオペンチルグリコールジ（メタ）アクリレート、トリメチロールプロパントリ（メタ）アクリレート、ペンタエリスリトールトリ（メタ）アクリレート、ペンタエリスリトールテトラ（メタ）アクリレート、ジペンタエリスリトールモノヒドロキシペンタ（メタ）アクリレート、ジペンタエリスリトールヘキサ（メタ）アクリレート、トリス（メタクリロキシエチル）イソシアヌレートの各種変性体、ビスフェノールＡジ（メタ）アクリレートの各種変性体、ビスフェノールＦジ（メタ）アクリレートの各種変性体、トリメチロールプロパントリ（メタ）アクリレートの各種変性体、ジペンタエリスリトールヘキサ（メタ）アクリレートの各種変性体等が用いられる。これらは、１種単独で用いてもよいし、２種以上併用してもよい。
これらの中でも、エポキシアクリレート系オリゴマーとジトリメチロールプロパンテトラアクリレートとの組合わせが、耐熱性、紫外線照射前後の粘着力の点で好ましい。
特に好ましいエポキシアクリレート系オリゴマーは、下記一般式（２）で表される。
【化２】
0004969744.tif 000003
式中、ｎは１〜５の数字を表し、ｎが１〜２のものが好ましく、特にｎが１．２程度のものが好ましい。
オリゴマーやモノマーとの配合割合は、得ようとする粘着剤の耐熱性及び紫外線照射前後の粘着力によって適宜選定することができる。
ここで、（メタ）アクリレートなる記載は、アクリレート、メタクリレート又はそれらの混合物を意味する。
【００１５】
本発明の組成物は、（ｃ）光重合開始剤を含有する。
この光重合用開始剤としては、従来公知の各種のものが挙げられる。このようなものには、例えば、ベンゾイン、ベンゾインメチルエーテル、ベンゾインエチルエーテル、ベンゾインイソプロピルエーテル、ベンゾインイソブチルエーテル、ベンジルジメチルケタール等のベンゾイン系のもの、１−ヒドロキシシクロヘキシルフェニルケトン、２−メチル−１〔４−（メチルチオ）フェニル〕−２−モノホリノプロパン−１、ジエトキシアセトフェノン、４−（２−ヒドロキシエトキシ）フェニル（２−ヒドロキシ−２プロピル）ケトン、２−ヒドロキシ−２−メチル−１−フェニルプロパン−１−オン等のアセトフェノン系のもの、ベンゾフェノン、ヒドロキシベンゾフェノン等のベンゾフェノン系のもの、チオキサンソン、２−メチルチオキサンソン、２，４−ジエチルチオキサンソン、クロロチオキサントン、ジメチルチオキサントン、ドデシルチオキサントン、ジエチルチオキサントン等のチオキサンソン系、ベンジル、アンスラキノン、２−エチルアンスラキノン、２−ｔｅｒｔ−ブチルアンスラキノン等が挙げられる。これらの中でも特に、ベンゾインイソブチルエーテル、ベンジルジメチルケタール等のベンゾイン系のものが、紫外線による光重合性オリゴマー又はモノマーのラジカル重合の反応性、粘着剤の耐熱性の点で好ましい。これらは１種単独でも、２種以上併用してもよい。
【００１６】
本発明の組成物は、（ｄ）活性水素に対して反応性を有する架橋剤を含有する。このような架橋剤としては、従来公知の各種のものを用いることができる。このようなものには、エポキシ系架橋剤及びイソシアネート系架橋剤が包含される。
【００１７】
エポキシ系架橋剤は、分子中にエポキシ基を通常２個以上含有するものであり、従来公知の各種のもの、例えば、ソルビトールポリグリシジルエーテル、ポリグリセロールポリグリシジルエーテル、ペンタエリスリトールポリグリシジルエーテル、ジグリセロールポリグリシジルエーテル、グリセロールポリグリシジルエーテル、ネオペンチルグリコールジグリシジルエーテル、レソルシンジグリシジルエーテル等が挙げられる。
【００１８】
イソシアネート系架橋剤は、分子中にイソシアネート基を通常２個以上含有するものであり、従来公知の各種のもの、例えば、テトラメチレンジイソシアネート、ヘキサメチレンジイソシアネート、トリメチロールプロパンンのトリレンジイソシアネート３付加物、ポリイソシアネート等が挙げられる。
【００１９】
本発明の組成物は、（ｅ）離型性付与剤として、シリコーン系グラフト共重合体を含有する。
この離型性付与剤とは、粘着組成物の凝集破壊を防ぎ、紫外線照射後の被着体からの剥離を容易にする為のものである。
シリコーン系グラフト共重合体（ポリマー）は、そのポリマーの側鎖として、シリコーン鎖を有するものである。この場合のシリコーン鎖としては、例えば、次の一般式（３）で表すものを用いることができる。
【化３】
0004969744.tif 000004
前記式中、Ｒ1及びＲ2は炭化水素基、含ハロゲン（フッ素、塩素等）炭化水素基又は炭化水素オキシ基を示し、Ｒ3は水素、ハロゲン、炭化水素基、含ハロゲン炭化水素基又は炭化水素オキシ基を示す。ｎは０〜５００、好ましくは１０〜３００の数を示す。
【００２０】
前記炭化水素基、含ハロゲン炭化水素基及び炭化水素オキシ基の炭素数は１〜１２、好ましくは１〜８を示す。炭化水素基には、鎖状又は環状のアルキル基、アリール基及びアリールアルキル基等が包含される。含ハロゲン炭化水素基には、鎖状又は環状の含ハロゲンアルキル基、含ハロゲンアリール基、含ハロゲンアリールアルキル基等が包含される。炭化水素オキシ基には、鎖状又は環状のアルキルオキシ基、アリールオキシ基、アリールアルキルオキシ基等が包含される。
炭化水素基の具体例を示すと、メチル、エチル、プロピル、シクロヘキシル、ドデシル、フェニル、ベンジル等が挙げられる。
【００２１】
シリコーン系グラフト共重合体は、シリコーン鎖を有するマクロビニルモノマーと非シリコーン系ビニルモノマーとをラジカル共重合させることによって得ることができる。この場合の非シリコーン系ビニルモノマーとしては、前記した各種のアクリル系ビニルモノマーを用いることができ、その種類は特に制約されない。
【００２２】
シリコーン鎖を有するマクロビニルモノマーは、一般的には、下記一般式（４）や（５）で表すものが用いられる。
【化４】
0004969744.tif 000005
前記式中、Ｒ1は水素又はメチル基を示し、Ｒ2及びＹは連結基を示し、Ｒ3はシリコーン鎖を示す。ｍ、ｔ及びｑは０又は１の数を示す。ｍ、ｔ及びｑにおいて、ｍ、ｔ及びｑが０の数のときは、そのＲ2酸素原子Ｏ及びＹが存在しないことを意味する。
連結基Ｒ2及びＹとしては、２価脂肪族基、例えば、アルキレン基やポリアルキレンオキシ基等が挙げられる。その炭素数１〜１２、好ましくは２〜６である。
シリコーン鎖Ｒ3は、シロキサン鎖又はポリシロキサン鎖を主体とするもので、例えば前記一般式（３）等で表される如き従来公知のシロキサン鎖やポリシロキサン鎖である。また、メチル基やフェニル基等の炭化水素基が結合したケイ素原子、例えば、ＳｉＲ3（Ｒ：メチル又はフェニル）等である。
【００２３】
【化５】
0004969744.tif 000006
前記式中、Ｒ1は水素又はメチル基を示す。Ａｒは２価芳香族基（フェニレン、キシリレン、フェニレンメチレン等）を示す。Ｒ3はシリコーン鎖を示す。
本発明においては、前記シリコーン系グラフト共重合体には、活性水素を有する官能基を含有させることが好ましい。このような官能基には、水酸基、カルボキシル基、アミノ基、メルカプト基等の活性水素含有基が包含される。好ましい官能基は水酸基である。その共重合体中への導入は、その共重合ビニルモノマー成分として、そのような活性水素含有官能基を有するものを用いることによって容易に行うことができる。共重合体中の官能基（活性水素含有基）の含有量は、共重合体を構成するモノマー成分の合計量に対する官能基含有モノマー成分の重量％で表して、０．１〜５０重量％、好ましくは１〜３０重量％である。
【００２４】
シリコーン鎖を有するマクロビニルモノマーの数平均分子量は、１，０００〜２０，０００程度である。この共重合体を含有させることにより、被着体に貼付し、紫外線照射後の剥離が容易であり、また、剥離したときに、被着体上にのり残りしない粘着組成物を得ることができる。
【００２５】
本発明の組成物における各配合成分の割合を示すと、（ａ）成分（（メタ）アクリル系粘着性ポリマー）１００重量部当り、（ｂ）成分（光重合性の（メタ）アクリル系オリゴマー又は（メタ）アクリル系モノマー）の割合は、５〜２００重量部、好ましくは１０〜１００重量部の割合である。（ｃ）成分（光重合開始剤）の割合は、前記（ｂ）成分に対して、０．１〜３０重量％、好ましくは０．５〜２０重量％である。（ｄ）成分（架橋剤）の割合は、（ａ）成分に含まれる活性水素及び後記する（ｅ）成分に活性水素が含まれるときにはその活性水素を加えた全活性水素１当量当り、０．０５〜１．２当量、好ましくは０．１〜１．０当量の割合である。（ｅ）成分（シリコーン系グラフト共重合体）の割合は、（ａ）成分１００重量部当り、０．１〜１００重量部、好ましくは０．５〜６０重量部の割合である。
【００２６】
本発明の粘着組成物には、前記（ａ）〜（ｅ）成分の他に、例えば、潤滑剤、安定剤、着色剤、酸化防止剤、防腐剤レベリング剤（例えば、アクリル系レベリング剤、シリコーン系レベリング剤、フッ素系レベリング剤）、反応調整剤など公知の添加剤を含有させることができ、特にレベリング剤と反応調整剤とを含有させるのが好ましい。
【００２７】
本発明の組成物は、基材に塗布し、粘着シートとすることができる。
この場合、粘着シートの基材は特に限定されず、粘着シートの用途に応じて適宜選択すればよい。例えば、ポリエチレンテレフタレート、ポリエチレンナフタレート、ポリエチレン、ポリカーボネート、トリアセチルセルロース、セロハン、セルロイド、ポリイミド、ポリアミド、ポリフェニレンスルフィド、ポリエーテルイミド、ポリスルホン、ポリエーテルスルホン、芳香族ポリアミド等の合成樹脂フィルムや、ガラス板等が挙げられ、これらは透明なものでも、不透明なものでも、顔料や染料などを含有した有色のものでも、表面がマット状の透明または不透明なものでもよく、その表面には、コロナ放電処理、易接着処理などの表面処理が施されていてもよい。
また、他には、一般の紙、合成紙、布、木材、金属板、陶磁器等が挙げられる。
【００２８】
本発明の粘着シートは、被着体に貼付け、紫外線照射後に剥す用途に好適であり、特に、フレキシブル印刷回路基板作製工程において、前記回路基板の回路形成面とは反対側に貼付けて使用するのに好適である。
本発明の粘着シートをフレキシブル印刷回路基板作製工程中前記基板に貼り付けて使用する場合には、加熱された液体中（例えば、６０℃から１００℃の液体）に漬かる場合もあり、この用途での基材は耐熱性、耐溶剤性、紫外線透過性のある合成樹脂フィルムが好ましい。貼付け後、紫外線を粘着シートの基材面側から照射する場合には、紫外線（３００ｎｍ〜３８０ｎｍ）を透過する基材を用いる必要があり、通常は厚さ２５〜２００μｍのポリエチレンテレフタレートフィルムが用いられる。
また貼付け後、紫外線を被着体面側から照射する場合には、基材には、紫外線と透過するものも、透過しないものも使用できる。
【００２９】
本発明の粘着シートは、前記基材上に前記粘着組成物からなる層を積層した構造を有し、前記粘着組成物を溶媒に溶解又は分散させたものを、前記基材上に、例えばロールコーター方法等の通常の塗布手段で塗布し、加熱乾燥することにより得られる。
このとき用いられる溶媒は、例えば、トルエン、キシレン等の芳香族系炭化水素溶媒、メチルエチルケトンやメチルイソブチルケトン等のケトン系溶媒、酢酸エチルやセロソルブ等のエステル類系溶媒等が挙げられる。
また、加熱乾燥後の粘着層の厚さは、３〜１００μｍが好ましく、これより薄いと十分な初期粘着力が得られず、これより厚いと紫外線照射後の粘着力低下がしにくくなる。初期粘着力及び紫外線照射後の粘着力低下の点から、より好ましい加熱乾燥後の粘着層の厚さは、５〜８０μｍである。
【００３０】
本発明の粘着シートは、粘着層上に保護層を設けて、粘着層を保護することが好ましい。この保護層は粘着シート使用時に剥すものであり、例えば、合成樹脂フィルム、紙、プラスチック、ゴム等のシート、或いは表面処理された合成樹脂フィルム、紙、プラスチック、ゴム等のシートが挙げられる。
【００３１】
【発明の効果】
本発明によれば、紫外線照射により粘着力が低下するが、凝集破壊しない粘着組成物を提供することができる。この組成物より形成される粘着層は、シリコーン系グラフト共重合体を含むことから、その粘着層表面と水との接触角が大きくなる。本発明の場合、その粘着層は、紫外線照射後において、その平滑面での２３℃、６５ＲＨ％における２３℃の水との接触角が１００度以上であるのが好ましく、このような粘着層は、のり残りの発生を効果的に防止することができる。
また、貼付け後、紫外線照射により粘着力が低下し剥離が容易な、のり残りのない粘着シートを提供することができる。
さらに、貼付け後、加熱された液体中でも剥がれず、その液体が染み込まない、フレキシブル印刷回路基板作製工程での使用に好適な粘着シートを提供することができる。
【００３２】
【実施例】
次に、本発明の実施例によりさらに詳細に説明する。
なお、以下において示した評価方法の具体的内容は以下の通りである。
【００３３】
（初期粘着力）
作製後加熱処理や紫外線照射処理を受けていない粘着シートを、２３℃、６５％ＲＨ条件下で、幅２５ｍｍ、長さ２５０ｍｍに切断した試験片に、厚さ２５μｍのポリイミドフィルム（東レ・デュポン（株）製。商品名「カプトン１００Ｈ」）を２ｋｇゴムローラーを用いて３００ｍｍ／ｍｉｎの速さで一往復させて圧着し、２３℃、６５％ＲＨ条件下で３０分間放置した試験片について、２３℃、６５％ＲＨのもと、引張試験機を用いて、引張速さ３００ｍｍ／ｍｉｎで圧着した試験片を１８０度方向に引き剥がしたときの力（Ｎ）を測定し、これを初期粘着力とした。
○：２Ｎ以上
×：２Ｎ未満
【００３４】
（紫外線照射後の粘着力）
初期粘着力測定方法において、圧着後、２３℃、６５％ＲＨ条件下で３０分間放置した試験片に、紫外線照射装置（ＨＩＴＥＣＨ（株）製、ＵＶ−５６００−３Ｈ）を使い、粘着シートの基材面側から６００ｍＪ／ｃｍ2の紫外線量を照射して粘着層を硬化させた後、２３℃、６５％ＲＨ条件下で３０分間試験片を放置した以外は、初期粘着力と同様に引き剥がしたときの力（Ｎ）を測定し、これを紫外線照射後の粘着力とした。
【００３５】
（加熱後に紫外線照射した後の粘着力）
初期粘着力測定方法において、圧着した試験片を１００℃で１時間加熱した後、試験片に、紫外線照射装置（ＨＩＴＥＣＨ（株）製、ＵＶ−５６００−３Ｈ）を使い、粘着シートの基材面から６００ｍＪ／ｃｍ2の紫外線量を照射して粘着層を硬化させた後、２３℃、６５％ＲＨ条件下で３０分間試験片を放置した以外は、初期粘着力と同様に引き剥がしたときの力（Ｎ）を測定し、これを加熱し、紫外線照射した後の粘着力とした。
【００３６】
（のり残り）
厚さ２５μｍのポリイミドフィルム（東レ・デュポン（株）製。商品名「カプトン１００Ｈ」）上の一部に厚さ２３０μｍの補強用ポリエステルフィルムを貼り付けたものを被着体とする。
作成後、加熱処理や紫外線照射処理を受けていない粘着シートを、２３℃、６５％ＲＨ条件下で被着体に貼付け後、２Ｋｇのゴムローラーを用いて充分に圧着し、１００℃で６０分間熱したものに、紫外線照射装置（ＨＩＴＥＣＨ（株）製、ＵＶ−５６００−３Ｈ）を使い、粘着シートの基材側から６００ｍＪ／ｃｍ2の紫外線量を照射して粘着層を硬化させ、２３℃、６５％ＲＨ条件下で３０分以上放置した後に粘着シートを引き剥がし、ポリイミドフィルム上へののり残りの有無を５０倍の光学顕微鏡を用いて評価した。
【００３７】
（接触角）
作成後、加熱処理や紫外線照射処理を受けていない粘着シートの基材面から、紫外線照射装置（ＨＩＴＥＣＨ（株）製、ＵＶ−５６００−３Ｈ）を使い、６００ｍＪ／ｃｍ2の紫外線量を照射して粘着層を硬化させた後、２３℃、６５％ＲＨ条件下で、接触角測定器（（株）エルマ製、Ｇ−１／２ＭＧ型）を使い、液滴法によって、その粘着層表面と２３℃の水との接触角を測定した。
【００３８】
実施例１
ＳＫダインＳＷ−２Ｂ（綜研化学（株）製の商品名、活性水素含有基カルボキシル基を有するアクリル系粘着性ポリマー液、固形分濃度３５％）１００質量％、ビスコート＃５４０（大阪有機化学工業（株）製の商品名、ビスフェノールＡ型エポキシアクリレートオリゴマー）７．４質量％、ＮＫエステルＡＤ−ＴＭＰ（新中村化学工業（株）製の商品名、ジトリメチロールプロパンテトラアクリレート）１２質量％、イルガキュア６５１（チバ・スペシャリティ・ケミカルズ（株）製の商品名、ベンジルジメチルケタール）１．８質量％、サイマックＵＳ−２７０（東亜合成（株）製の商品名、水酸基を有するグラフトシリコーン共重合体液、固形分濃度３０％）２質量％、コロネートＬ（日本ポリウレタン工業（株）製の商品名、トリメチロールプロパンのトリレンジイソシアネート３付加物液、固形分濃度７５％、ＮＣＯ含有率１３％）４．８質量％、メチルエチルケトン４５質量％を均一に混合、溶解し、粘着組成物液を調整した。
この液を、片面が易接着処理された厚さ７５μｍの透明ポリエチレンテレフタレートフィルムの易接着処理面にベーカー式アプリケーターで塗布した後、これを１３０℃で３分間乾燥し厚さ１２μｍの粘着層を形成し、粘着シートを作製した。
【００３９】
実施例２
実施例１において、サイマックＵＳ−２７０を１％とした以外は、実施例１と同様にして粘着シートを作製した。
【００４０】
実施例３
実施例１において、サイマックＵＳ−２７０を２０％とした以外は、実施例１と同様にして粘着シートを作製した。
【００４１】
実施例４
実施例１において、サイマックＵＳ−２７０を６０％とした以外は、実施例１と同様にして粘着シートを作製した。
【００４２】
比較例１
実施例１において、サイマックＵＳ−２７０を配合しない以外は、実施例１と同様にして粘着シートを作製した。
【００４３】
比較例２
ＡＳ−４０９（アクリル酸エステル共重合体、一方社油脂工業（株）製の商品名、固形分濃度４２％）１００質量％、製品名Ｄ−１７０Ｎ｛ヘキサメチレンジイソシアネートのトリマー体、（３ＯＣＮ（ＣＨ2）6ＮＣＯ、武田薬品工業（株）製の商品名、ＮＣＯ２０．７％｝１．３５質量％、サイマックＵＳ−２７０（水酸基を有するグラフトシリコーンアクリル共重合体、東亜合成（株）製の商品名、固形分濃度３０％）４．２質量％、トルエン３４質量％、メチルイソブチルケトン３４質量％を均一に混合、溶解し、粘着組成物液を調製した。
この液を、片面が易接着処理された厚さ７５μｍの透明ポリエチレンテレフタレートフィルムの易接着処理面にベーカー式アプリケーターで塗布した後、これを１３０℃で３分間乾燥し厚さ１２μｍの粘着層を形成し、粘着シートを作製した。
【００４４】
比較例３
ＳＫダインＳＷ−２２（綜研化学（株）の商品名、アクリル系粘着剤、固形分濃度４３％）１００質量％、ＥＸ−０２０５（共栄化学（株）製の商品名、エポキシアクリレート系オリゴマー、固形分濃度７０％）９．３質量％、ビスコート＃５４０（大阪有機化学工業（株）製の商品名）６．５質量％、コロネートＬ−４５（総研化学（株）の商品名、トリメチロールプロパンのトリレンジイソシアネート３付加物液、固形分濃度４５％、ＮＣＯ含有率８％）２．５質量％、イルガキュア６５１（日本チバガイギー社製）０．８質量％、トルエン１１．４質量％を均一に混合、溶解し、粘着組成物液を調整した。
この液を、片面が易接着処理された厚さ７５μｍの透明ポリエチレンテレフタレートフィルムの易接着処理面にベーカー式アプリケーターで塗布した後、これを１３０℃で３分間乾燥し厚さ１２μｍの粘着層を形成し、粘着シートを作製した。
【００４５】
前記の粘着シートの評価結果を、表１に示す。
【００４６】
【表１】
0004969744.tif 000007